(57)【特許請求の範囲】
【請求項１】
装置本体と、
現像剤を担持するように構成される現像ローラと、前記装置本体から給電され、前記現像ローラと電気的に接続されるように構成されるカートリッジ側電極とを有し、前記装置本体に着脱可能に設けられ、現像剤を収容するカートリッジと、
前記装置本体に設けられ、前記カートリッジの状態を判断する判断手段と
を備え、
前記装置本体は、
前記カートリッジ側電極に電気的に接続され、前記カートリッジ側電極に給電する第１本体側電極と、
前記カートリッジ側電極に電気的に接続され、前記カートリッジ側電極から給電される第２本体側電極と、を備え、
前記カートリッジ側電極は、
前記第１本体側電極に電気的に接続された状態で、前記現像ローラに供給される電力が前記第１本体側電極から給電される第１接点部と、
前記第２本体側電極に電気的に接続された状態で、前記第１本体側電極から供給された電力を前記第２本体側電極に給電する第２接点部とを有し、
前記カートリッジは、前記第２本体側電極と前記第２接点部との電気的な接続を解除する第１位置から、前記第２本体側電極と前記第２接点部とを電気的に接続する第２位置を経て、前記第２本体側電極と前記第２接点部との電気的な接続を解除する第３位置へ移動可能な移動部材を備え、
前記判断手段は、前記第２本体側電極と前記第２接点部との電気的な接続が解除されてから、一旦、前記第２本体側電極が前記第２接点部に電気的に接続された後、再び前記第２本体側電極と前記第２接点部との電気的な接続が解除された場合に、前記カートリッジの状態が新品であると判断することを特徴とする、画像形成装置。
【請求項２】
前記移動部材は、絶縁性材料からなる絶縁部を有し、
前記絶縁部は、
前記移動部材が前記第１位置および前記第３位置に配置されているときに、前記第２接点部と前記第２本体側電極との間に介在され、
前記移動部材が前記第２位置に配置されているときに、前記第２接点部と前記第２本体側電極との間に介在されない
ことを特徴とする、請求項１に記載の画像形成装置。
【請求項３】
前記移動部材は、絶縁性材料からなる絶縁部を有し、
前記絶縁部は、
前記移動部材が前記第１位置および前記第３位置に配置されているときに、前記第１接点部と前記第１本体側電極との間、および、前記第２接点部と前記第２本体側電極との間に介在され、
前記移動部材が前記第２位置に配置されているときに、前記第１接点部と前記第１本体側電極との間、および、前記第２接点部と前記第２本体側電極との間に介在されない
ことを特徴とする、請求項１に記載の画像形成装置。
【請求項４】
前記移動部材は、外部からの駆動力が伝達される歯部と、前記駆動力が伝達されない欠け歯部とを含む欠け歯ギヤを有することを特徴とする、請求項２または３に記載の画像形成装置。
【請求項５】
前記移動部材は、前記第１位置から前記第２位置を経て前記第３位置へ向かうように、回転可能に設けられていることを特徴とする、請求項４に記載の画像形成装置。
【請求項６】
前記移動部材は、前記第１位置から前記第２位置を経て前記第３位置へ向かうように、直線移動可能に設けられていることを特徴とする、請求項４に記載の画像形成装置。
【請求項７】
前記移動部材は、前記第１位置および前記第３位置において、前記第１本体側電極または前記第２本体側電極に向かって進出し、前記第２位置において、前記第１本体側電極または前記第２本体側電極から退避するように設けられていることを特徴とする、請求項４に記載の画像形成装置。
【請求項８】
前記移動部材は、導電性材料からなる導通部を有し、
前記導通部は、
前記移動部材が前記第１位置および前記第３位置に配置されているときに、前記第２接点部と前記第２本体側電極との間に介在されず、
前記移動部材が前記第２位置に配置されているときに、前記第２接点部と前記第２本体側電極との間に介在される
ることを特徴とする、請求項１に記載の画像形成装置。
【請求項９】
前記移動部材は、外部からの駆動力が伝達される歯部と、前記駆動力が伝達されない欠け歯部とを含む欠け歯ギヤを有することを特徴とする、請求項８に記載の画像形成装置。
【請求項１０】
前記移動部材は、前記第１位置から前記第２位置を経て前記第３位置へ向かうように、回転可能に設けられていることを特徴とする、請求項９に記載の画像形成装置。
【請求項１１】
前記移動部材は、前記第１位置から前記第２位置を経て前記第３位置へ向かうように、直線移動可能に設けられていることを特徴とする、請求項９に記載の画像形成装置。
【請求項１２】
前記移動部材は、前記第１位置および前記第３位置において、前記第１本体側電極または前記第２本体側電極から退避し、前記第２位置において、前記第１本体側電極または前記第２本体側電極へ向かって進出するように設けられていることを特徴とする、請求項９に記載の画像形成装置。
【請求項１３】
前記判断手段は、
前記第１本体側電極および前記第２本体側電極が前記カートリッジ側電極に所定時間以上電気的に接続されたときに、前記カートリッジが前記装置本体に装着されていると判断し、
前記第１本体側電極と前記第２本体側電極との少なくともいずれかと、前記カートリッジ側電極とが所定時間以上電気的に接続されなかったときに、前記カートリッジが前記装置本体から離脱されていると判断することを特徴とする、請求項１〜１２のいずれか一項に記載の画像形成装置。
【発明の詳細な説明】
【技術分野】
【０００１】
本発明は、電子写真方式が採用される画像形成装置に関する。
【背景技術】
【０００２】
電子写真方式のプリンタとして、感光体と、感光体にトナーを供給する現像装置とを備えるプリンタが知られている。
【０００３】
このようなプリンタでは、装着された現像カートリッジの情報（例えば、現像カートリッジが新品であるか否かなど）を判断するための新品検出手段を備えている。
【０００４】
例えば、現像カートリッジに回転可能に設けられる検出ギヤに、本体ケーシング内のアクチュエータに当接される当接突起を設け、現像カートリッジが本体ケーシングに装着されたときに、検出ギヤを回転駆動させて、当接突起によってアクチュータを揺動させるとともに、光センサによってアクチュエータの揺動を検出し、その検出結果に基づいて、現像カートリッジの情報を判断するレーザプリンタが提案されている（たとえば、下記特許文献１参照。）。
【先行技術文献】
【特許文献】
【０００５】
【特許文献１】特開２００６−２６７９９４号公報
【発明の概要】
【発明が解決しようとする課題】
【０００６】
しかるに、上記した特許文献１に記載のレーザプリンタでは、本体ケーシング内に、現像カートリッジの当接突起が当接されるアクチュエータと、そのアクチュエータの揺動を検出する光センサとが設けられている。
【０００７】
そのため、装着された現像カートリッジの情報を判断するための構成が複雑化している。
【０００８】
そこで、本発明の目的は、簡易な構成で、カートリッジの情報を検知することができる画像形成装置を提供することにある。
【課題を解決するための手段】
【０００９】
（１）上記した目的を達成するために、本発明の画像形成装置は、装置本体と、装置本体から給電されるカートリッジ側電極を有し、装置本体に着脱可能に設けられ、現像剤を収容するカートリッジと、装置本体に設けられ、カートリッジの状態を判断する判断手段とを備える。
【００１０】
装置本体は、カートリッジ側電極に電気的に接続され、カートリッジ側電極に給電する第１本体側電極と、カートリッジ側電極に電気的に接続され、カートリッジ側電極から給電される第２本体側電極とを備える。
【００１１】
カートリッジは、第１本体側電極および／または第２本体側電極とカートリッジ側電極との電気的な接続を解除する第１位置から、第１本体側電極および第２本体側電極とカートリッジ側電極とを電気的に接続する第２位置を経て、第１本体側電極および／または第２本体側電極とカートリッジ側電極との電気的な接続を解除する第３位置へ移動可能な移動部材を備える。
【００１２】
判断手段は、第１本体側電極および／または第２本体側電極とカートリッジ側電極との電気的な接続が解除されてから、一旦、第１本体側電極および第２本体側電極がカートリッジ側電極に電気的に接続された後、再び第１本体側電極および／または第２本体側電極とカートリッジ側電極との電気的な接続が解除された場合に、カートリッジの状態が新品であると判断する。
【００１３】
このような構成によれば、第１本体側電極および／または第２本体側電極と、カートリッジ電極との導通、および、導通の解除を検知することにより、アクチュエータや光センサなどを設けることなく、簡易な構成で、カートリッジの情報を検知することができる。
（２）また、カートリッジ側電極は、第１本体側電極に接触可能な第１接点部と、第２本体側電極に接触可能な第２接点部とを有してもよい。移動部材は、絶縁性材料からなる絶縁部を有してもよい。
【００１４】
この場合、絶縁部は、移動部材が第１位置および第３位置に配置されているときに、第１接点部と第１本体側電極との間、および／または、第２接点部と第２本体側電極との間に介在され、移動部材が第２位置に配置されているときに、第１接点部と第１本体側電極との間、および、第２接点部と第２本体側電極との間に介在されなくてもよい。
【００１５】
このような構成によれば、簡易な構成で、移動部材が第１位置から第２位置を経て第３位置へ移動される間に、第１本体側電極および／または第２本体側電極と、カートリッジ電極とを、導通が解除された状態から、一旦導通させ、再度、導通を解除させることができる。
（３）また、移動部材は、外部からの駆動力が伝達される歯部と、駆動力が伝達されない欠け歯部とを含む欠け歯ギヤを有してもよい。
【００１６】
このような構成によれば、移動部材を、確実に、所定の移動量で移動させることができる。
（４）また、移動部材は、第１位置から第２位置を経て第３位置へ向かうように、回転可能に設けられていてもよい。
【００１７】
このような構成によれば、簡易な構成で確実に、移動部材を、第１位置から第２位置を経て第３位置へ移動させることができる。
（５）また、移動部材は、第１位置から第２位置を経て第３位置へ向かうように、直線移動可能に設けられていてもよい。
【００１８】
このような構成によれば、簡易な構成で確実に、移動部材を、第１位置から第２位置を経て第３位置へ移動させることができる。
（６）また、移動部材が絶縁性材料からなる絶縁部を有する場合において、移動部材は、第１位置および第３位置において、第１本体側電極または第２本体側電極に向かって進出し、第２位置において、第１本体側電極または第２本体側電極から退避するように設けられていてもよい。
【００１９】
このような構成によれば、第１位置および第３位置において、絶縁性の移動部材を、第１本体側電極または第２本体側電極に向かって進出させて、確実に導通を解除することができる。
（７）また、カートリッジ側電極は、第１本体側電極に接触可能な第１接点部と、第２本体側電極に接触可能な第２接点部とを有してもよい。移動部材は、導電性材料からなる導通部を有してもよい。
【００２０】
この場合、導通部は、移動部材が第１位置および第３位置に配置されているときに、第１接点部と第１本体側電極との間、および／または、第２接点部と第２本体側電極との間に介在されず、移動部材が第２位置に配置されているときに、第１接点部と第１本体側電極との間、および、第２接点部と第２本体側電極との間に介在されてもよい。
【００２１】
このような構成によれば、簡易な構成で、移動部材が第１位置から第２位置を経て第３位置へ移動される間に、第１本体側電極および／または第２本体側電極と、カートリッジ電極とを、導通が解除された状態から、一旦導通させ、再度、導通を解除させることができる。
（８）また、移動部材が導電性材料からなる導通部を有する場合において、移動部材は、第１位置および第３位置において、第１本体側電極または第２本体側電極から退避し、第２位置において、第１本体側電極または第２本体側電極へ向かって進出するように設けられていてもよい。
【００２２】
このような構成によれば、第１位置および第３位置において、導電性の移動部材を、第１本体側電極または第２本体側電極から退避させて、確実に導通を解除することができる。
（９）また、本発明の画像形成装置は、現像剤を担持するように構成される現像ローラをさらに備えていてもよい。この場合、カートリッジ側電極は、現像ローラと電気的に接続されるように構成されてもよい。
【００２３】
このような構成によれば、装置本体から現像ローラに印加される現像バイアスを利用して、カートリッジの情報を検知することができる。
（１０）また、判断手段は、第１本体側電極および第２本体側電極がカートリッジ側電極に所定時間以上電気的に接続されたときに、カートリッジが装置本体に装着されていると判断し、第１本体側電極および／または第２本体側電極とカートリッジ側電極とが所定時間以上電気的に接続されなかったときに、カートリッジが装置本体から離脱されていると判断してもよい。
【００２４】
このような構成によれば、第１本体側電極および／または第２本体側電極と、カートリッジ電極との導通、および、導通の解除を検知することにより、簡易な構成で、画像形成装置本体内におけるカートリッジの有無を検知することができる。
【発明の効果】
【００２５】
本発明の画像形成装置によれば、簡易な構成で、カートリッジの情報を検知することができる
【図面の簡単な説明】
【００２６】
【図１】図１は、本発明の画像形成装置の第１実施形態のプリンタの中央断面図を示す。
【図２】図２は、図１に示す現像カートリッジの右前側から見た斜視図である。
【図３】図３は、図２に示す移動部材を示し、（ａ）は、右側から見た斜視図であり、（ｂ）は、左側から見た斜視図である。
【図４】図４は、新品検知動作における移動部材の移動を説明するための説明図であって、（ａ）は、ウォームアップ動作が開始される前の状態であって、移動部材と検知電極との導通が解除されている状態を示し、（ｂ）は、ウォームアップ動作の途中の状態であって、移動部材と検知電極とが導通されている状態を示し、（ｃ）は、ウォームアップ動作が終了した状態であって、移動部材と検知電極との導通が解除されている状態を示す。
【図５】図５は、第２実施形態における新品検知動作における移動部材の移動を説明するための説明図であって、（ａ）は、ウォームアップ動作が開始される前の状態であって、被検知部と検知電極との導通が解除されている状態を示し、（ｂ）は、ウォームアップ動作の途中の状態であって、被検知部と検知電極とが導通されている状態を示し、（ｃ）は、ウォームアップ動作の途中の状態であって、被検知部と検知電極との導通が解除されている状態を示し、（ｄ）は、ウォームアップ動作が終了した状態であって、被検知部と検知電極とが導通されている状態を示す。
【図６】図６は、第３実施形態における新品検知動作における移動部材の移動を説明するための説明図であって、（ａ）は、ウォームアップ動作が開始される前の状態であって、被検知部と検知電極との導通、および、被給電部と給電電極との導通が解除されている状態を示し、（ｂ）は、ウォームアップ動作の途中の状態であって、被検知部と検知電極とが導通されるとともに、被給電部と給電電極とが導通されている状態を示し、（ｃ）は、ウォームアップ動作の途中の状態であって、被検知部と検知電極との導通、および、被給電部と給電電極との導通が解除されている状態を示し、（ｄ）は、ウォームアップ動作が終了した状態であって、被検知部と検知電極とが導通されるとともに、被給電部と給電電極とが導通されている状態を示す。
【図７】図７は、第４実施形態における新品検知動作における移動部材の移動を説明するための説明図であって、（ａ）は、ウォームアップ動作が開始される前の状態であって、被検知部と検知電極との導通が解除されている状態を示し、（ｂ）は、ウォームアップ動作の途中の状態であって、被検知部と検知電極とが導通されている状態を示し、（ｃ）は、ウォームアップ動作が終了した状態であって、被検知部と検知電極との導通が解除されている状態を示す。
【図８】図８は、第５実施形態における新品検知動作における移動部材の移動を説明するための説明図であって、（ａ）は、ウォームアップ動作が開始される前の状態であって、被給電部と検知電極との導通が解除されている状態を示し、（ｂ）は、ウォームアップ動作の途中の状態であって、被給電部と検知電極とが移動部材の導通部を介して導通されている状態を示し、（ｃ）は、ウォームアップ動作が終了した状態であって、被給電部と検知電極との導通が解除されている状態を示す。
【図９】図９は、第６実施形態における移動部材を説明する説明図であって、（ａ）は、左側から見た斜視図であり、（ｂ）は、カートリッジ側電極に対する移動部材の組み付けを示す。
【図１０】図１０は、第６実施形態における新品検知動作を説明する説明図であって、（ａ）は、移動部材と検知電極とが離間されている状態を示し、（ｂ）は、移動部材と検知電極とが接触されている状態を示す。
【図１１】図１１は、第７実施形態における新品検知動作を説明する説明図であって、（ａ）は、被検知部と検知電極とが離間されている状態を示し、（ｂ）は、被検知部と検知電極とが接触されている状態を示す。
【発明を実施するための形態】
【００２７】
１．プリンタの全体構成
図１に示すように、画像形成装置の一例としてのプリンタ１は、横置きタイプのダイレクトタンデム型カラープリンタである。
【００２８】
なお、以下の説明において、方向について言及する場合には、プリンタ１を水平に載置した状態を基準として、図１における紙面左側を前側とし、図１における紙面右側を後側とする。また、プリンタ１を前側から見たときを左右の基準とする。すなわち、図１の紙面手前側が右側であり、紙面奥側が左側である。
【００２９】
プリンタ１は、略ボックス形状の装置本体の一例としての本体ケーシング２を備えている。本体ケーシング２の上端部には、本体開口部５を開閉するトップカバー６が、その後端部を支点として揺動可能に設けられている。プリンタ１は、各色に対応する４つのプロセスカートリッジ１１を備えている。
【００３０】
各プロセスカートリッジ１１は、本体ケーシング２内に着脱可能に設けられ、互いに前後方向に沿って間隔を隔てて並列配置されている。各プロセスカートリッジ１１は、ドラムカートリッジ２４と、ドラムカートリッジ２４に着脱可能に装着されるカートリッジの一例としての現像カートリッジ２５とを備えている。
【００３１】
ドラムカートリッジ２４は、感光ドラム１５を備えている。
【００３２】
感光ドラム１５は、左右方向に長手の円筒形状に形成されており、ドラムカートリッジ２４に回転可能に設けられている。
【００３３】
現像カートリッジ２５は、現像ローラ１６を備えている。
【００３４】
現像ローラ１６は、左右方向に延びる金属製の現像ローラ軸３０を備え、現像カートリッジ２５の後端部において後側から露出されるように設けられ、感光ドラム１５に対して前上側から接触されている。
【００３５】
また、現像カートリッジ２５は、現像ローラ１６にトナーを供給する供給ローラ２７、現像ローラ１６に供給されたトナーの厚みを規制する層厚規制ブレード２８を備え、それらの上側に設けられるトナー収容部４６内には、現像剤の一例としてのトナーが収容され、トナーを攪拌するためのアジテータ４７が設けられている。アジテータ４７は、左右方向に延びるアジテータ軸４８と、アジテータ軸４８からアジテータ軸４８の径方向外側に延びる攪拌羽根４９とを備えている。
【００３６】
トナー収容部４６内のトナーは、供給ローラ２７と現像ローラ１６との間で正極性に摩擦帯電され、層厚規制ブレード２８により、一定厚さの薄層として現像ローラ１６の表面に担持される。
【００３７】
一方、各感光ドラム１５の表面には、感光ドラム１５に対向配置されるスコロトロン型帯電器２６によって一様に帯電された後、各感光ドラム１５に対応して設けられるＬＥＤユニット１２によって所定の画像データに基づいて露光されることにより、画像データに基づく静電潜像が形成される。そして、現像ローラ１６に担持されるトナーが各感光ドラム１５の表面上の静電潜像に供給されることにより、感光ドラム１５の表面上にトナー像（現像剤像）が担持される。
【００３８】
用紙Ｓは、本体ケーシング２の底部に設けられる給紙トレイ７内に収容されており、ピックアップローラ８、給紙ローラ９、および、１対のレジストローラ１０によって、後上側へＵターンするように搬送されて、所定のタイミングで１枚ずつ、感光ドラム１５と、その下方に配置される搬送ベルト１９との間に給紙される。そして、搬送ベルト１９によって、各感光ドラム１５と、各感光ドラムに１５に対応する各転写ローラ２０との間を前側から後側に向かって搬送される。このとき、用紙Ｓに、各色のトナー像が順次転写され、カラー画像が形成される。
【００３９】
そして、用紙Ｓは、搬送ベルト１９の後側に設けられる加熱ローラ２１と加圧ローラ２２との間を通過するときに加熱および加圧される。このとき、用紙Ｓには、カラー画像が熱定着される。
【００４０】
その後、用紙Ｓは、前上側へＵターンするように搬送されて、トップカバー６に設けられる排紙トレイ２３に排紙される。
２．現像カートリッジの詳細
現像カートリッジ２５は、図２および図３に示すように、カートリッジフレーム３１と、カートリッジフレーム３１の左側に配置される駆動ユニット３２と、カートリッジフレーム３１の右側に配置される給電ユニット３３とを備えている。
【００４１】
なお、現像カートリッジ２５の説明において、方向について言及するときには、現像ローラ１６が配置されている側を現像カートリッジ２５の後側とし、層厚規制ブレード２８が配置されている側を上側とする。すなわち、現像カートリッジ２５に関する上下前後方向は、プリンタ１に関する上下前後方向と相異なり、現像カートリッジ２５は、その後側がプリンタ１の後下側、その前側がプリンタ１の前上側となるように、プリンタ１およびドラムカートリッジ２４に装着されている。
（１）カートリッジフレーム
カートリッジフレーム３１は、左右方向（対向方向）に延びる略ボックス形状に形成されている。カートリッジフレーム３１は、左右１対の側壁３４、前壁３５、下壁３６および上壁３７を備えている。なお、以下の説明において、左側の側壁３４を左壁３４Ｌとし、右側の側壁３４を右壁３４Ｒとする。
【００４２】
両側壁３４は、上下前後に延びる側面視略矩形状に形成され、互いに左右方向に間隔を隔てて対向配置されている。また、両側壁３４には、アジテータ軸露出穴３８が形成されている。
【００４３】
アジテータ軸露出穴３８は、側壁３４の前後方向略中央において、側面視略円形状に貫通形成されている。アジテータ軸露出穴３８の直径は、アジテータ軸４８の左右方向端部の直径よりも大径に形成されている。そして、アジテータ軸４８の左右方向端部は、アジテータ軸露出穴３８を介して、側壁３４から左右方向外側へ露出されている。アジテータ軸４８の左右方向両端部には、アジテータギヤ４５が相対回転不能に支持されている。
【００４４】
前壁３５は、左右方向に延び、両側壁３４の前端部間に架設されている。
【００４５】
下壁３６は、左右方向に延び、前壁３５の下端部に連続するように、両側壁３４の下端部間に架設されている。
【００４６】
上壁３７は、左右方向に延び、前壁３５の上端部に連続するように、両側壁３４の上端部間に架設されている。上壁３７の後端部には、層厚規制ブレード２８が、現像ローラ１６に上側から接触されるように配置されている。
（２）駆動ユニット
駆動ユニット３２は、図２に示すように、駆動側カバー４１を備えている。
【００４７】
駆動側カバー４１は、左右方向に延び、左端部が閉鎖された略角筒形状に形成され、現像カートリッジ２５の左端部を被覆している。駆動側カバー４１には、カラー部４２が設けられている。
【００４８】
カラー部４２は、駆動側カバー４１の前後方向略中央の左壁から左側へ突出する略円筒形状に形成されている。なお、カラー部４２の右端部は、駆動側カバー４１内に連通されている。
【００４９】
そして、カラー部４２内には、左右方向に延びる略円柱形状の現像カップリング（図示せず）が相対回転可能に支持されている。現像カップリング（図示せず）の左端部は、カラー部４２の左端部から左側へ露出されている。現像カップリング（図示せず）の左端部には、本体ケーシング２内の本体カップリング（図示せず）が相対回転不能に嵌合され、本体カップリング（図示せず）を介して、本体ケーシング２から駆動力が入力される。現像カップリング（図示せず）に入力された駆動力は、ギヤ列（図示せず）を介して、現像ローラ１６の現像ローラ軸３０、供給ローラ２７の供給ローラ軸、および、アジテータ軸４８に伝達される。
（３）給電ユニット
給電ユニット３３は、図２および図３に示すように、カートリッジ側電極５１および移動部材５３を備えている。
（３−１）カートリッジ電極
カートリッジ側電極５１は、現像カートリッジ２５の後端部において、右壁３４Ｒの右側に組み付けられており、導電性の樹脂材料などから側面視略矩形の平板形状に形成されている。カートリッジ側電極５１は、現像ローラ軸支持部５５と、第２接点部の一例としての電極支持ボス５６と、第１接点部の一例としての被給電部５７とを一体的に備えている。
【００５０】
現像ローラ軸支持部５５は、カートリッジ側電極５１の後端部に配置され、カートリッジ側電極５１の右面から右側へ延びる略円筒形状に形成されている。現像ローラ軸支持部５５の内径は、現像ローラ軸３０の右端部と略同径（わずかに大径）に形成されている。なお、カートリッジ側電極５１には、現像ローラ軸支持部５５と中心軸線を共有するように、現像ローラ軸支持部５５の内径と同径の開口（図示せず）が形成されている。そして、現像ローラ軸支持部５５内には、現像ローラ軸３０が、その右端部において、回転可能に支持されている。つまり、カートリッジ側電極５１と現像ローラ軸３０とは、現像ローラ軸支持部５５において、電気的に接続されている。
【００５１】
電極支持ボス５６は、カートリッジ側電極５１の前端部に配置され、カートリッジ側電極５１の右面から右側へ突出する略円柱形状に形成されている。
【００５２】
被給電部５７は、電極支持ボス５６の後上側に間隔を隔てて対向配置されており、カートリッジ側電極５１の右端面から右側へ突出する略円柱形状に形成されている。
（３−２）移動部材
移動部材５３は、図３および図４に示すように、導電性材料からなり、カートリッジ側電極５１の後側に配置されている。移動部材５３は、ベース部６１、被検知部６２および欠け歯ギヤ６３を一体的に備えている。
【００５３】
ベース部６１は、左右方向に厚みを有し、中心部分に貫通穴が形成された略円板形状に形成されている。
【００５４】
被検知部６２は、ベース部６１の中心軸線よりも径方向外側に配置されている。被検知部６２は、ベース部６１の右面から右側へ突出する略Ｓ字形状に屈曲された角柱形状に形成されている。詳しくは、被検知部６２は、ベース部６１の右面から右側へ延び、その右端部においてベース部６１の径方向外側へ屈曲されて径方向外側へ延び、さらに、その径方向外側端部で右側へ屈曲されて右側へ延びている。被検知部６２は、ベース部６１とともに、導通部を構成する。
【００５５】
欠け歯ギヤ６３は、ベース部６１と中心軸線を共有するように、ベース部６１の左面から左側へ延びる略円筒形状に形成されている。欠け歯ギヤ６３の周面には、中心角が約２７０°をなす部分にギヤ歯が形成されている。なお、欠け歯ギヤ６３において、ギヤ歯が形成されている部分が歯部６４であり、ギヤ歯が形成されていない部分が欠け歯部６５である。
【００５６】
そして、移動部材５３は、カートリッジ側電極５１の電極支持ボス５６に、ベース部６１の中心軸線を中心として、回転可能に支持されている。
【００５７】
また、現像カートリッジ２５が新品（未使用）の状態では、移動部材５３の欠け歯ギヤ６３は、歯部６４の右側面視反時計回り方向下流側端部において、アジテータギヤ４５に後側から噛合されている。
【００５８】
この状態において、被検知部６２は、移動部材５３の前端部に配置されている。
３．本体ケーシング
本体ケーシング２内には、図４に示すように、第１本体側電極の一例としての給電電極８１と、第２本体側電極の一例としての検知電極８２とを備えている。
【００５９】
給電電極８１は、プロセスカートリッジ１１の右側近傍に設けられている。給電電極８１は、本体部８６と接点部８７とを一体的に備えている。
【００６０】
本体部８６は、金属などの導電性と弾性とを有する材料から、左右方向に延びる螺旋形状に形成されている。
【００６１】
接点部８７は、本体部８６の左端部に連続して、本体部８６の中心軸線と直交する中心軸線を有する略円環形状に形成されている。
【００６２】
検知電極８２は、プロセスカートリッジ１１の右側近傍において、給電電極８１の前下側に間隔を隔てて配置されている。検知電極８２は、給電電極８１と略同じ形状に形成されている。詳しくは、検知電極８２は、本体部８８と接点部８９とを一体的に備えている。
【００６３】
本体部８８は、給電電極８１の本体部８６と同様に、金属などの導電性と弾性とを有する材料から、左右方向に延びる螺旋形状に形成されている。
【００６４】
接点部８９は、本体部８８の左端部に連続して、給電電極８１の接点部８７と同様に、本体部８８の中心軸線と直交する中心軸線を有する略円環形状に形成されている。
【００６５】
また、本体ケーシング２内には、電源８５と、バイアス検知部８３と、判断手段の一例としてのＣＰＵ８４が設けられている。
【００６６】
電源８５は、給電電極８１に電気的に接続されている。電源８５は、給電電極８１に現像バイアスを供給する。
【００６７】
バイアス検知部８３は、検知電極８２に電気的に接続されている。バイアス検知部８３は、電源８５から、給電電極８１、カートリッジ側電極５１の被給電部５７、カートリッジ側電極５１の電極支持ボス５６、および、移動部材５３を順次介して検知電極８２に供給される現像バイアスを、検知する。
【００６８】
ＣＰＵ８４は、電源８５とバイアス検知部８３とに電気的に接続されている。ＣＰＵ８４は、バイアス検知部８３における、検知電極８２に現像バイアスが供給されたか否かの検知に基づいて、現像カートリッジ２５の状態を判断する。
４．現像カートリッジの新品検知動作
図４を参照して、現像カートリッジ２５の新品検知動作を説明する。
【００６９】
本体ケーシング２のトップカバー６を開放して、新品（未使用）の現像カートリッジ２５が装着されたプロセスカートリッジ１１を本体ケーシング２に前上側から挿入すると、現像カートリッジ２５の被給電部５７が左側から給電電極８１の接点部８７に当接される。
【００７０】
これにより、電源８５から給電電極８１に給電されている現像バイアスは、現像カートリッジ２５の被給電部５７に給電される。
【００７１】
現像カートリッジ２５の被給電部５７に給電された現像バイアスは、カートリッジ側電極５１を介して現像ローラ軸３０に印加される。
【００７２】
このとき、移動部材５３の被検知部６２は、検知電極８２の前側に離間されており、検知電極８２と被検知部６２との電気的な接続が解除されている。つまり、移動部材５３は、検知電極８２とカートリッジ側電極５１との電気的な接続を解除する第１位置に配置されている。
【００７３】
これにより、検知電極８２には、現像バイアスが印加されず、バイアス検知部８３は、現像バイアスを検知しない。
【００７４】
すると、ＣＰＵ８４は、検知電極８２に現像バイアスが供給されていないと判断する。
【００７５】
そして、現像カートリッジ２５が本体ケーシング２に装着されると、本体ケーシング２内の本体カップリング（図示せず）が駆動ユニット３２の現像カップリング（図示せず）に相対回転不能に嵌合される。そして、本体カップリング（図示せず）を介して、現像カップリング（図示せず）に本体ケーシング２から駆動力が入力され、ウォーミングアップ動作が開始される。
【００７６】
すると、現像カップリング（図示せず）から、ギヤ列（図示せず）を介して、アジテータ軸４８に駆動力が伝達され、アジテータ４７が回転される。
【００７７】
そして、アジテータ４７が回転されると、アジテータ軸４８およびアジテータギヤ４５を介して、移動部材５３の欠け歯ギヤ６３の歯部６４に駆動力が伝達され、移動部材５３が右側面視時計回りに回転される。
【００７８】
すると、図４（ｂ）に示すように、移動部材５３の被検知部６２が、検知電極８２の接点部８９に上側から当接され、被検知部６２と検知電極８２とが電気的に接続される。つまり、移動部材５３は、検知電極８２とカートリッジ側電極５１とを電気的に接続する第２位置に配置される。
【００７９】
これにより、給電電極８１から被給電部５７に給電されている現像バイアスは、電極支持ボス５６、および、移動部材５３の被検知部６２を順次介して、検知電極８２に供給され、バイアス検知部８３は、現像バイアスを検知する。
【００８０】
すると、ＣＰＵ８４は、検知電極８２に現像バイアスが供給されていると判断する。
【００８１】
そして、さらに移動部材５３が右側面視時計回りに回転されると、移動部材５３の被検知部６２が、検知電極８２の接点部８９から下側へ離間される。
【００８２】
すると、移動部材５３と検知電極８２との電気的な接続が解除される。つまり、移動部材５３は、検知電極８２とカートリッジ側電極５１との電気的な接続を解除する第３位置に配置される。
【００８３】
これにより、検知電極８２には、現像バイアスが印加されず、バイアス検知部８３は、現像バイアスを検知しない。
【００８４】
すると、ＣＰＵ８４は、検知電極８２に現像バイアスが供給されていないと判断する。
【００８５】
その後、さらに移動部材５３が回転されると、図４（ｃ）に示すように、移動部材５３の歯部６４とアジテータギヤ４５との噛合が解除されて、移動部材５３の欠け歯部６５がアジテータギヤ４５に対向され、移動部材５３の回転駆動が停止される。その後、ウォーミングアップ動作が終了する。
【００８６】
そして、ＣＰＵ８４は、ウォーミングアップ動作が開始された後に、検知電極８２に現像バイアスが供給されていない、検知電極８２に現像バイアスが供給されている、検知電極８２に現像バイアスが供給されていない、と順次判断したときに、現像カートリッジ２５が新品（未使用）であると判断する。
【００８７】
その結果、新品の現像カートリッジ２５が装着されると、ＣＰＵ８４は、その現像カートリッジ２５が新品であると判断し、その現像カートリッジ２５の装着時から実際の画像形成枚数を計測して、実際の画像形成枚数が、その現像カートリッジ２５の規定の画像形成枚数（例えば、６０００枚）を超える直近に、図示しない操作パネルなどに、現像カートリッジ２５の交換時期であることの通知を表示する。
【００８８】
一方、新品の現像カートリッジ２５を装着した後に、たとえば、用紙Ｓの詰まり（ジャム）などによって、一旦、その現像カートリッジ２５を本体ケーシング２から離脱させ、再び本体ケーシング２に装着したときには、移動部材５３は、欠け歯ギヤ６３の欠け歯部６５がアジテータギヤ４５と対向する位置で停止されている。
【００８９】
そのため、再装着において、ウォーミングアップ動作が実行されても、移動部材５３は回転駆動されず、新品検知動作は実施されない。このときには、移動部材５３が、常に第３位置に配置されているため、ＣＰＵ８４は、常に、検知電極８２に現像バイアスが供給されていないと判断する。
【００９０】
これにより、ＣＰＵ８４は、その再装着された現像カートリッジ２５（旧品の現像カートリッジ２５）を、旧品であると判断する。
【００９１】
そして、ＣＰＵ８４は、規定の画像形成枚数と、その新品と判断したときからの実際の画像形成枚数との比較を継続する。
５．作用効果
（１）このプリンタ１によれば、図４に示すように、検知電極８２と、移動部材５３との導通、および、導通の解除を、バイアス検知部８３で検知することにより、アクチュエータや光センサなどを設けることなく、簡易な構成で、現像カートリッジ２５の新旧を検知することができる。
【００９２】
また、ウォーミングアップ動作が終了したときに、検知電極８２と被検知部６２とが接触しないので、現像バイアスが検知電極８２を介して本体側の他の部材に流れることがない。
（２）また、このプリンタ１によれば、図４に示すように、簡易な構成で、移動部材５３が第１位置から第２位置を経て第３位置へ移動される間に、検知電極８２と、カートリッジ側電極５１の電極支持ボス５６とを、導通が解除された状態から、一旦導通させ、再度、導通を解除させることができる。
（３）また、このプリンタ１によれば、図３（ｂ）に示すように、移動部材５３は、歯部６４と欠け歯部６５とを含む欠け歯ギヤ６３を備えている。
【００９３】
そのため、移動部材５３を、確実に、所定の移動量で移動させることができる。
（４）また、このプリンタ１によれば、図４に示すように、移動部材５３は、第１位置から第２位置を経て第３位置へ向かうように、回転可能に設けられている。
【００９４】
このような構成によれば、簡易な構成で確実に、移動部材５３を、第１位置から第２位置を経て第３位置へ移動させることができる。
（５）また、このプリンタ１によれば、図１および図２に示すように、本体ケーシング２の電源８５から現像ローラ１６に印加される現像バイアスを利用して、現像カートリッジ２５の情報を検知することができる。
６．第２実施形態
図５を参照して、現像カートリッジ２５の第２実施形態を説明する。なお、第２実施形態において、上記した第１実施形態と同様の部材には同様の符号を付し、その説明を省略する。
（１）第２実施形態の構成
上記した第１実施形態では、カートリッジ側電極５１の被給電部５７に、給電電極８１を当接させるとともに、カートリッジ側電極５１の電極支持ボス５６に支持される導電性材料からなる移動部材５３を、検知電極８２に対して、当接させている。
【００９５】
しかし、第２実施形態では、図５に示すように、カートリッジ側電極５１に、給電電極８１に接触可能な第１接点部の一例としての被給電部７１と、検知電極８２に接触可能な第２接点部の一例としての被検知部７２とを設け、絶縁性材料からなる移動部材５３を、検知電極８２と被検知部７２との間に介在させる。
【００９６】
被給電部７１は、カートリッジ側電極５１の前後方向略中央の上端部に配置され、カートリッジ側電極５１の右面から右側へ延びる略円筒形状に形成されている。被給電部７１の右端部は、給電電極８１の接点部８７に接触可能に配置されている。
【００９７】
被検知部７２は、被給電部７１の前下側に間隔を隔てて対向配置されている。被検知部７２は、カートリッジ側電極５１の右面から右側へ延びる略円筒形状に形成されている。なお、被検知部７２は、被給電部７１とリブ７０を介して連結されている。被検知部７２の右端部は、検知電極８２の接点部８９に接触可能に配置されている。
【００９８】
移動部材５３は、絶縁性材料からなり、第１実施形態の移動部材５３における被検知部６２の代わりに、絶縁部７３を一体的に備えている。
【００９９】
絶縁部７３は、ベース部６１の中心軸線よりも径方向外側に配置されている。絶縁部７３は、ベース部６１の右面から右側へ延びる部分円柱形状に形成され、その右端部において、約９０°の中心角を有する略扇形状の絶縁板７５を備えている。
【０１００】
絶縁板７５には、その周方向に互いに間隔を隔てて、２つの検知窓７４が貫通形成されている。検知窓７４は、被検知部７２の外径よりも大径な側面視略円形状に形成されている。
【０１０１】
そして、現像カートリッジ２５が新品（未使用）の状態では、絶縁板７５は、下端部に中心角を有するように、移動部材５３の上端部に配置されている。
【０１０２】
このとき、絶縁板７５の右側面視時計回り方向下流側端部は、被検知部７２の右端部に対して右側から対向されている。
（２）第２実施形態の動作
本体ケーシング２内にプロセスカートリッジ１１が装着されていないときには、検知電極８２に現像バイアスが印加されない。これにより、バイアス検知部８３は、現像バイアスを検知しない。
【０１０３】
そして、ＣＰＵ８４は、この状態（検知電極８２に現像バイアスが印加されない状態）で所定時間が経過すると、現像カートリッジ２５が本体ケーシング２から離脱されていると判断する。
【０１０４】
そして、図５（ａ）に示すように、新品（未使用）の現像カートリッジ２５が装着されたプロセスカートリッジ１１を本体ケーシング２に前上側から挿入すると、現像カートリッジ２５の被給電部７１が左側から給電電極８１の接点部８７に当接される。また、被検知部７２が、絶縁板７５を介して、検知電極８２の接点部８９に対向される。
【０１０５】
これにより、電源８５から給電電極８１に給電されている現像バイアスは、被給電部７１に給電される。被給電部７１に給電された現像バイアスは、カートリッジ側電極５１を介して現像ローラ軸３０に印加される。
【０１０６】
また、被検知部７２と検知電極８２とは、絶縁板７５によって絶縁されて、電気的な接続が解除されている。つまり、移動部材５３は、検知電極８２とカートリッジ側電極５１との電気的な接続を解除する第１位置に配置されている。
【０１０７】
これにより、検知電極８２には、現像バイアスが印加されず、バイアス検知部８３は、現像バイアスを検知しない。
【０１０８】
すると、ＣＰＵ８４は、検知電極８２に現像バイアスが供給されていないと判断する。
【０１０９】
そして、ウォーミングアップ動作が開始されると、移動部材５３が右側面視時計回りに回転される。
【０１１０】
すると、図５（ｂ）に示すように、絶縁板７５の右側面視時計回り方向下流側の検知窓７４が、被検知部７２と検知電極８２との間に配置され、被検知部７２と検知電極８２とが、絶縁板７５の検知窓７４を介して電気的に接続される。つまり、移動部材５３は、検知電極８２とカートリッジ側電極５１とを電気的に接続する第２位置に配置される。
【０１１１】
これにより、給電電極８１から被給電部７１に給電されている現像バイアスは、リブ７０、被検知部７２を介して、検知電極８２に供給され、バイアス検知部８３は、現像バイアスを検知する。
【０１１２】
すると、ＣＰＵ８４は、検知電極８２に現像バイアスが供給されていると判断する。
【０１１３】
そして、図５（ｃ）に示すように、さらに移動部材５３が右側面視時計回りに回転されると、被検知部７２と検知電極８２との間に、絶縁板７５の両検知窓７４の間の部分が介在される。
【０１１４】
すると、被検知部７２と検知電極８２とが、絶縁板７５によって絶縁されて、電気的な接続が解除される。つまり、移動部材５３は、検知電極８２とカートリッジ側電極５１との電気的な接続を解除する第３位置に配置される。
【０１１５】
これにより、検知電極８２には、現像バイアスが印加されず、バイアス検知部８３は、現像バイアスを検知しない。
【０１１６】
すると、ＣＰＵ８４は、検知電極８２に現像バイアスが供給されていないと判断する。
【０１１７】
そして、ＣＰＵ８４は、ウォーミングアップ動作が開始された後に、検知電極８２に現像バイアスが供給されていない、検知電極８２に現像バイアスが供給されている、検知電極８２に現像バイアスが供給されていない、と順次判断したときに、現像カートリッジ２５が新品（未使用）であると判断する。
【０１１８】
その後、図５（ｄ）に示すように、さらに移動部材５３が右側面視時計回りに回転されると、移動部材５３の歯部６４とアジテータギヤ４５との噛合が解除されて、移動部材５３の欠け歯部６５がアジテータギヤ４５に対向され、移動部材５３の回転駆動が停止される。これにより、ウォーミングアップ動作が終了する。
【０１１９】
同時に、絶縁板７５の右側面視時計回り方向上流側の検知窓７４が、被検知部７２と検知電極８２との間に配置され、被検知部７２と検知電極８２とが、絶縁板７５の検知窓７４を介して電気的に接続される。
【０１２０】
これにより、給電電極８１から被給電部７１に給電されている現像バイアスは、リブ７０、被検知部７２を介して、検知電極８２に供給され、バイアス検知部８３は、現像バイアスを検知する。
【０１２１】
すると、ＣＰＵ８４は、検知電極８２に現像バイアスが供給されていると判断する。
【０１２２】
そして、この状態（検知電極８２に現像バイアスが供給されている状態）において、所定時間が経過すると、現像カートリッジ２５が本体ケーシング２に装着されていると判断する。
（２）第２実施形態の作用効果
第２実施形態によれば、図５に示すように、移動部材５３が第１位置（図５（ａ）参照）および第３位置（図５（ｃ）参照）に配置されているときには、絶縁部７３の絶縁板７５が、被検知部７２と検知電極８２との間に介在されている。一方、移動部材５３が第２位置（図５（ｂ）参照）に配置されているときには、被検知部７２と検知電極８２は、絶縁板７５の検知窓７４を介して接触されている。
【０１２３】
このような構成によれば、簡易な構成で、移動部材５３が第１位置から第２位置を経て第３位置へ移動される間に、検知電極８２と、カートリッジ側電極５１とを、導通が解除された状態から、一旦導通させ、再度、導通を解除させることができる。
【０１２４】
また、第２実施形態によれば、検知電極８２と、カートリッジ側電極５１との導通、および、導通の解除を検知することにより、簡易な構成で、本体ケーシング２内における現像カートリッジ２５の有無を検知することができる。
７．第３実施形態
図６を参照して、現像カートリッジ２５の第３実施形態を説明する。なお、第３実施形態において、上記した第２実施形態と同様の部材には同様の符号を付し、その説明を省略する。
（１）第３実施形態の構成
上記した第２実施形態では、絶縁板７５を、被検知部７２の右端部に対して右側から対向するような大きさの略扇形状に形成している。
【０１２５】
しかし、第３実施形態では、図６に示すように、絶縁板７５を、被検知部７２および被給電部７１の両方を被覆可能な大きさの略扇形状に形成する。
【０１２６】
そして、絶縁板７５には、絶縁板７５の径方向に延びる略長穴形状の検知窓７４を形成する。検知窓７４は、被検知部７２および被給電部７１の両方を露出可能な長手方向長さに形成されている。
（１）第３実施形態の動作
本体ケーシング２内にプロセスカートリッジ１１が装着されていないときには、検知電極８２に現像バイアスが印加されない。これにより、バイアス検知部８３は、現像バイアスを検知しない。
【０１２７】
そして、ＣＰＵ８４は、この状態（検知電極８２に現像バイアスが印加されない状態）で所定時間が経過すると、現像カートリッジ２５が本体ケーシング２から離脱されていると判断する。
【０１２８】
図６（ａ）に示すように、新品（未使用）の現像カートリッジ２５が装着されたプロセスカートリッジ１１を本体ケーシング２に前上側から挿入すると、被給電部７１が、絶縁板７５を介して、給電電極８１の接点部８７に当接されとともに、被検知部７２が、絶縁板７５を介して、検知電極８２の接点部８９に対向される。
【０１２９】
すなわち、被給電部７１と給電電極８１とが、絶縁板７５によって絶縁されるとともに、被検知部７２と検知電極８２とが、絶縁板７５によって絶縁される。
【０１３０】
これにより、検知電極８２には、現像バイアスが印加されず、バイアス検知部８３は、現像バイアスを検知しない。
【０１３１】
すると、ＣＰＵ８４は、検知電極８２に現像バイアスが供給されていないと判断する。
【０１３２】
そして、ウォーミングアップ動作が開始されると、移動部材５３が右側面視時計回りに回転される。
【０１３３】
すると、図６（ｂ）に示すように、絶縁板７５の右側面視時計回り方向下流側の検知窓７４が、被給電部７１と給電電極８１との間、および、被検知部７２と検知電極８２との間に配置され、被給電部７１と給電電極８１とが、検知窓７４を介して電気的に接続されるとともに、被検知部７２と検知電極８２とが、検知窓７４を介して電気的に接続される。
【０１３４】
これにより、給電電極８１から被給電部７１に給電されている現像バイアスは、リブ７０、被検知部７２を介して、検知電極８２に供給され、バイアス検知部８３は、現像バイアスを検知する。
【０１３５】
すると、ＣＰＵ８４は、検知電極８２に現像バイアスが供給されていると判断する。
【０１３６】
そして、図６（ｃ）に示すように、さらに移動部材５３が右側面視時計回りに回転されると、被給電部７１と給電電極８１との間、および、被検知部７２と検知電極８２との間に、絶縁板７５の両検知窓７４の間の部分が介在される。
【０１３７】
すると、被給電部７１と給電電極８１とが、絶縁板７５によって絶縁されるとともに、被検知部７２と検知電極８２とが、絶縁板７５によって絶縁される。
【０１３８】
これにより、検知電極８２には、現像バイアスが印加されず、バイアス検知部８３は、現像バイアスを検知しない。
【０１３９】
すると、ＣＰＵ８４は、検知電極８２に現像バイアスが供給されていないと判断する。
【０１４０】
そして、ＣＰＵ８４は、ウォーミングアップ動作が開始された後に、検知電極８２に現像バイアスが供給されていない、検知電極８２に現像バイアスが供給されている、検知電極８２に現像バイアスが供給されていない、と順次判断したときに、現像カートリッジ２５が新品（未使用）であると判断する。
【０１４１】
その後、図６（ｄ）に示すように、さらに移動部材５３が右側面視時計回りに回転されると、移動部材５３の歯部６４とアジテータギヤ４５との噛合が解除されて、移動部材５３の欠け歯部６５がアジテータギヤ４５に対向され、移動部材５３の回転駆動が停止される。これにより、ウォーミングアップ動作が終了する。
【０１４２】
同時に、絶縁板７５の右側面視時計回り方向上流側の検知窓７４が、被給電部７１と給電電極８１との間、および、被検知部７２と検知電極８２との間に配置され、被給電部７１と給電電極８１とが、検知窓７４を介して電気的に接続されるとともに、被検知部７２と検知電極８２とが、検知窓７４を介して電気的に接続される。
【０１４３】
これにより、給電電極８１から被給電部７１に給電されている現像バイアスは、リブ７０、被検知部７２を介して、検知電極８２に供給され、バイアス検知部８３は、現像バイアスを検知する。
【０１４４】
すると、ＣＰＵ８４は、検知電極８２に現像バイアスが供給されていると判断する。
【０１４５】
そして、この状態（検知電極８２に現像バイアスが供給されている状態）において、所定時間が経過すると、現像カートリッジ２５が本体ケーシング２に装着されていると判断する。
（３）第３実施形態の作用効果
第３実施形態によれば、上記した第２実施形態を同様の作用効果を得ることができる。
８．第４実施形態
図７を参照して、現像カートリッジ２５の第４実施形態を説明する。なお、第４実施形態において、上記した第２実施形態と同様の部材には同様の符号を付し、その説明を省略する。
（１）第４実施形態の構成
上記した第２実施形態では、移動部材５３に略扇形状の絶縁板７５を設け、右側面視時計回り方向に回転可能に設けたが、第４実施形態では、移動部材５３を略矩形平板形状に構成し、前後方向にスライド（直線移動）可能に設ける。
【０１４６】
詳しくは、給電ユニット３３は、移動部材９１と、移動部材９１に駆動力を入力するピニオンギヤ９２とを備えている。
【０１４７】
移動部材９１は、給電電極８１の下側において、被検知部７２と検知電極８２との間に介在されるように配置されている。移動部材９１は、後側が開放された側面視略Ｕ字形状に形成されており、絶縁部９５と、欠け歯ギヤの一例としてのラック部９４とを備えている。
【０１４８】
絶縁部９５は、移動部材９１の後側半分を構成し、側面視略矩形の平板形状に形成されている。絶縁部９５の前後方向略中央には、側面視略矩形状の検知窓９６が貫通形成されている。
【０１４９】
ラック部９４は、絶縁部９５の下端部から前側へ向かって延びる略杆形状に形成されている。ラック部９４の上面には、前端部から前後方向略中央までの間において、ギヤ歯が形成されている。ラック部９４において、ギヤ歯が形成されている部分が歯部９７であり、ギヤ歯が形成されていない部分が欠け歯部９８である。
【０１５０】
ピニオンギヤ９２は、アジテータ軸４８の右端部に回転可能に支持されており、現像カートリッジ２５が新品（未使用）の状態において、ラック部９４の歯部９７の前端部に上側から噛合されている。
（２）第４実施形態の動作
上記した第１実施形態と同様に、新品（未使用）の現像カートリッジ２５が本体ケーシング２に装着されると、ウォーミングアップ動作が開始されて、アジテータ４７が回転される。
【０１５１】
なお、図７（ａ）に示すように、新品（未使用）の現像カートリッジ２５が本体ケーシング２に装着されたときには、被給電部７１と給電電極８１とが接触され、導通されている。
【０１５２】
また、被検知部７２と検知電極８２との間には、絶縁部９５の前端部（検知窓９６よりも前側の部分）が介在され、被検知部７２と検知電極８２とが、絶縁部９５によって絶縁されている。
【０１５３】
これにより、検知電極８２には、現像バイアスが印加されず、バイアス検知部８３は、現像バイアスを検知しない。
【０１５４】
すると、ＣＰＵ８４は、検知電極８２に現像バイアスが供給されていないと判断する。
【０１５５】
そして、アジテータ４７が回転されると、アジテータ軸４８およびピニオンギヤ９２を介して、移動部材９１のラック部９４に駆動力が伝達され、移動部材９１が前側にスライドされる。
【０１５６】
すると、図７（ｂ）に示すように、被検知部７２と検知電極８２とが、検知窓９６を介して接触されて、導通される。
【０１５７】
これにより、検知電極８２には、現像バイアスが印加され、バイアス検知部８３は、現像バイアスを検知する。
【０１５８】
すると、ＣＰＵ８４は、検知電極８２に現像バイアスが供給されていると判断する。
【０１５９】
そして、図７（ｃ）に示すように、さらに移動部材９１が前側にスライドされると、移動部材９１の歯部９７とピニオンギヤ９２との噛合が解除されて、移動部材９１の欠け歯部９８がピニオンギヤ９２に対向され、移動部材９１のスライドが停止される。
【０１６０】
このとき、被検知部７２と検知電極８２との間に、絶縁部９５の後端部（検知窓９６よりも後側の部分）が介在される。
【０１６１】
すると、被検知部７２と検知電極８２とが、絶縁部９５によって絶縁される。
【０１６２】
これにより、検知電極８２には、現像バイアスが印加されず、バイアス検知部８３は、現像バイアスを検知しない。
【０１６３】
すると、ＣＰＵ８４は、検知電極８２に現像バイアスが供給されていないと判断する。
【０１６４】
そして、ＣＰＵ８４は、ウォーミングアップ動作が開始された後に、検知電極８２に現像バイアスが供給されていない、検知電極８２に現像バイアスが供給されている、検知電極８２に現像バイアスが供給されていない、と順次判断したときに、現像カートリッジ２５が新品（未使用）であると判断する。
【０１６５】
これにより、ウォーミングアップ動作が終了する。
（３）第４実施形態の作用効果
第４実施形態によれば、図７に示すように、移動部材９１は、前側に向かってスライド可能に設けられている。
【０１６６】
そのため、簡易な構成で確実に、移動部材９１を、第１位置から第２位置を経て第３位置へ移動させることができる。
【０１６７】
また、第４実施形態においても、上記した第２実施形態と同様の作用効果を得ることができる。
９．第５実施形態
図８を参照して、現像カートリッジ２５の第５実施形態を説明する。なお、第５実施形態において、上記した第１実施形態と同様の部材には同様の符号を付し、その説明を省略する。
（１）第５実施形態の構成
上記した第１実施形態では、導電性の移動部材５３を右側面視時計回り方向に回転可能に設けたが、第５実施形態では、導電性の移動部材１０１を略矩形平板形状に構成し、前後方向にスライド（直線移動）可能に設ける。
【０１６８】
詳しくは、給電ユニット３３は、移動部材１０１と、移動部材１０１に駆動力を入力するピニオンギヤ１０２とを備えている。
【０１６９】
移動部材１０１は、給電電極８１の下側において、被検知部７２と検知電極８２との間に介在されるように配置されている。移動部材１０１は、後側が開放された側面視略Ｕ字形状に形成されており、導通部１０４と、欠け歯ギヤの一例としてのラック部１０３とを備えている。
【０１７０】
導通部１０４は、移動部材１０１の後側半分を構成し、側面視略矩形の平板形状に形成されている。導通部１０４の前後方向略中央には、側面視略矩形状の開口１０５が貫通形成されている。また、導通部１０４の上端部には、導通部１０４の上端縁から上側へ突出するように、上底が下底よりも短い側面視略台形状の突部１０８が設けられている。
【０１７１】
ラック部１０３は、導通部１０４の下端部から前側へ向かって延びる略杆形状に形成されている。ラック部１０３の上面には、前端部から前後方向略中央までの間において、ギヤ歯が形成されている。ラック部１０３において、ギヤ歯が形成されている部分が歯部１０６であり、ギヤ歯が形成されていない部分が欠け歯部１０７である。
【０１７２】
ピニオンギヤ１０２は、アジテータ軸４８の右端部に回転可能に支持されており、現像カートリッジ２５が新品（未使用）の状態において、ラック部１０３の歯部１０６の前端部に上側から噛合されている。
（２）第５実施形態の動作
上記した第１実施形態と同様に、新品（未使用）の現像カートリッジ２５が本体ケーシング２に装着されると、ウォーミングアップ動作が開始されて、アジテータ４７が回転される。
【０１７３】
なお、図８（ａ）に示すように、新品（未使用）の現像カートリッジ２５が本体ケーシング２に装着されたときには、被給電部５７と給電電極８１とが接触され、導通されている。
【０１７４】
また、検知電極８２の接点部８９は、導通部１０４の前側に、導通部１０４と接触しないように、わずかに間隔を隔てて対向配置されている。また、導通部１０４の突部１０８は、被給電部５７の後下側に、被給電部５７と接触しないように、わずかに間隔を隔てて対向配置されている。
【０１７５】
これにより、検知電極８２には、現像バイアスが印加されず、バイアス検知部８３は、現像バイアスを検知しない。つまり、移動部材１０１は、第１位置に配置されている。
【０１７６】
すると、ＣＰＵ８４は、検知電極８２に現像バイアスが供給されていないと判断する。
【０１７７】
そして、アジテータ４７が回転されると、アジテータ軸４８およびピニオンギヤ９２を介して、移動部材９１のラック部９４に駆動力が伝達され、移動部材９１が前側にスライドされる。
【０１７８】
すると、図８（ｂ）に示すように、導通部１０４の前端部（開口１０５よりも前側の部分）が、検知電極８２に接触されるとともに、導通部１０４の突部１０８が、被給電部５７の下端縁に下側から接触される。これにより、検知電極８２は、導通部１０４を介して、被給電部５７に導通される。
【０１７９】
これにより、検知電極８２には、導通部１０４を介して現像バイアスが印加され、バイアス検知部８３は、現像バイアスを検知する。つまり、移動部材１０１は、第２位置に配置される。
【０１８０】
すると、ＣＰＵ８４は、検知電極８２に現像バイアスが供給されていると判断する。
【０１８１】
そして、図８（ｃ）に示すように、さらに移動部材１０１が前側にスライドされると、移動部材１０１の歯部１０６とピニオンギヤ１０２との噛合が解除されて、移動部材１０１の欠け歯部１０７がピニオンギヤ１０２に対向され、移動部材１０１のスライドが停止される。
【０１８２】
このとき、検知電極８２の接点部８９は、導通部１０４の開口１０５に、導通部１０４と接触しないように対向されている。また、導通部１０４の突部１０８は、被給電部５７の前下側に間隔を隔てて対向配置されている。
【０１８３】
これにより、検知電極８２には、現像バイアスが印加されず、バイアス検知部８３は、現像バイアスを検知しない。つまり、移動部材１０１は、第３位置に配置されている。
【０１８４】
すると、ＣＰＵ８４は、検知電極８２に現像バイアスが供給されていないと判断する。
【０１８５】
そして、ＣＰＵ８４は、ウォーミングアップ動作が開始された後に、検知電極８２に現像バイアスが供給されていない、検知電極８２に現像バイアスが供給されている、検知電極８２に現像バイアスが供給されていない、と順次判断したときに、現像カートリッジ２５が新品（未使用）であると判断する。
【０１８６】
これにより、ウォーミングアップ動作が終了する。
（３）第５実施形態の作用効果
第５実施形態によれば、図８に示すように、移動部材１０１は、前側に向かってスライド可能に設けられている。
【０１８７】
そのため、簡易な構成で確実に、移動部材１０１を、第１位置から第２位置を経て第３位置へ移動させることができる。
【０１８８】
また、第５実施形態においても、上記した第２実施形態と同様の作用効果を得ることができる。
１０．第６実施形態
図９および図１０を参照して、現像カートリッジ２５の第６実施形態を説明する。なお、第６実施形態において、上記した第１実施形態と同様の部材には同様の符号を付し、その説明を省略する。
（１）第６実施形態の構成
上記した第１実施形態では、移動部材５３は、導電性材料からなり、カートリッジ側電極５１の電極支持ボス５６に、右側面視時計回りに回転可能に支持されている。
【０１８９】
しかし、第４実施形態では、移動部材１１１を、カートリッジ側電極５１の支持ボス１１２（図９（ｂ）参照）に、右側面視時計回りに回転しながら左右方向に進退可能に支持する。
【０１９０】
詳しくは、移動部材１１１は、図９（ａ）に示すように、電極本体１１３と、欠け歯ギヤ１１４とを一体的に備えている。
【０１９１】
電極本体１１３は、左右方向に延びる略円柱形状に形成されている。また、電極本体１１３の右面は、凹凸のない平坦面として形成されている。
【０１９２】
欠け歯ギヤ１１４は、電極本体１１３と中心軸線を共有するように、電極本体１１３の左面から左側へ延びる略円柱形状に形成されている。欠け歯ギヤ１１４の周面には、中心角が約２７０°をなす部分にギヤ歯が形成されている。なお、欠け歯ギヤ１１４において、ギヤ歯が形成されている部分が歯部１１５であり、ギヤ歯が形成されていない部分が欠け歯部１１６である。また、欠け歯ギヤ１１４は、２つの電極側変位部１１７を備えている（図９（ａ）参照）。
【０１９３】
電極側変位部１１７は、欠け歯ギヤ１１４の左面から左側へ突出し、欠け歯ギヤ１１４の周方向に延びる突条として形成されている。各電極側変位部１１７は、欠け歯ギヤ１１４の中心軸線から等しい距離に配置されるように、欠け歯ギヤ１１４の径方向に互いに間隔を隔てて対向配置されている。また、電極側変位部１１７の左面１１８は、移動部材１１１の回転方向Ｒ（右側面視時計回り方向、後述）において、上流側から下流側へ向かうに従って左側へ傾斜されている。
【０１９４】
支持ボス１１２は、カートリッジ側電極５１の前端部において、カートリッジ側電極５１の右端面から右側へ突出する略円柱形状に形成されている。また、支持ボス１１２は、支持ボス側変位部１１９を備えている。
【０１９５】
支持ボス側変位部１１９は、支持ボス１１２の右面から右側へ突出し、支持ボス１１２の周方向に延びる突条として形成されている。各支持ボス側変位部１１９は、支持ボス１１２の中心軸線から等しい距離に配置されるように、支持ボス１１２の径方向に互いに間隔を隔てて対向配置されている。また、支持ボス側変位部１１９の右面１２０は、移動部材１１１の回転方向Ｒにおいて、上流側から下流側へ向かうに従って右側へ傾斜されている。
【０１９６】
そして、移動部材１１１は、支持ボス１１２と中心軸線を共有し、電極側変位部１１７の回転方向上流側端部が、支持ボス側変位部１１９の回転方向上流側端部に当接されるように、支持ボス１１２の右端部に回転可能に支持されている。
【０１９７】
移動部材１１１は、電極側変位部１１７が支持ボス側変位部１１９の上を摺動するように回転方向Ｒに回転されて、右側に向かって進出する進出位置（図１０（ａ）参照）と、左側に向かって退避する退避位置（図１０（ｂ））とに移動される。
【０１９８】
なお、移動部材１１１は、ばねなどの付勢部材（図示せず）により、常には、左側へ向かって付勢されている。
（２）第６実施形態の動作
上記した第１実施形態と同様に、新品（未使用）の現像カートリッジ２５が本体ケーシング２に装着されると、ウォーミングアップ動作が開始されて、アジテータ４７が回転される。
【０１９９】
なお、図１０（ａ）に示すように、新品（未使用）の現像カートリッジ２５が本体ケーシング２に装着されたときには、被給電部５７と給電電極８１とが接触され、導通されている。
【０２００】
また、移動部材１１１は、検知電極８２の接点部８９の左側に間隔を隔てて対向配置されている。
【０２０１】
これにより、検知電極８２には、現像バイアスが印加されず、バイアス検知部８３は、現像バイアスを検知しない。つまり、移動部材１１１は、第１位置に配置されている。
【０２０２】
すると、ＣＰＵ８４は、検知電極８２に現像バイアスが供給されていないと判断する。
【０２０３】
そして、アジテータ４７が回転されると、アジテータ軸４８およびアジテータギヤ４５を介して、移動部材１１１の歯部１１５に駆動力が伝達され、移動部材１１１が右側面視時計回りに回転される。
【０２０４】
すると、移動部材１１１は、その電極側変位部１１７の左面１１８と、支持ボス１１２の支持ボス側変位部１１９の右面１２０とが摺動することにより、その回転に伴って、右側に徐々に移動される。
【０２０５】
すると、図１０（ｂ）に示すように、移動部材１１１の電極本体１１３が、左側から検知電極８２に接触されて、移動部材１１１を検知電極８２とが導通される。
【０２０６】
これにより、検知電極８２には、被給電部５７からカートリッジ側電極５１に印加された現像バイアスが、カートリッジ側電極５１の支持ボス１１２、および、移動部材１１１を順次介して印加される。すると、バイアス検知部８３は、現像バイアスを検知する。つまり、移動部材１０１は、第２位置に配置される。
【０２０７】
すると、ＣＰＵ８４は、検知電極８２に現像バイアスが供給されていると判断する。
【０２０８】
そして、さらに移動部材１１１が右側面視時計回りに回転されると、電極側変位部１１７が支持ボス側変位部１１９の回転方向下流側に外れて、移動部材１１１の左側への移動が許容される。
【０２０９】
すると、移動部材１１１は、付勢手段（図示せず）の付勢力により左側へ押圧されて、検知電極８２から退避するように、左側へ移動され、検知電極８２との当接が解除される。
【０２１０】
これにより、検知電極８２には、現像バイアスが印加されず、バイアス検知部８３は、現像バイアスを検知しない。つまり、移動部材１１１は、第３位置に配置される。
【０２１１】
すると、ＣＰＵ８４は、検知電極８２に現像バイアスが供給されていないと判断する。
【０２１２】
そして、さらに移動部材１１１が右側面視反時計回りに回転されると、移動部材１１１の欠け歯部１１６がアジテータギヤ４５に対向されて、移動部材１１１の歯部１１５とアジテータギヤ４５との噛合が解除され、移動部材１１１の回転駆動が停止され、ウォーミングアップ動作が終了する。
【０２１３】
そして、ＣＰＵ８４は、ウォーミングアップ動作が開始された後に、検知電極８２に現像バイアスが供給されていない、検知電極８２に現像バイアスが供給されている、検知電極８２に現像バイアスが供給されていない、と順次判断したときに、現像カートリッジ２５が新品（未使用）であると判断する。
（３）第６実施形態の作用効果
第６実施形態によれば、図１０（ａ）に示すように、簡易な構成で、第１位置および第３位置において、移動部材１１１を、検知電極８２から左側に退避させて、移動部材１１１と検知電極８２との導通を、確実に解除することができる。
【０２１４】
また、第６実施形態においても、上記した第１実施形態と同様の作用効果を得ることができる。
１１．第７実施形態
図１１を参照して、現像カートリッジ２５の第７実施形態を説明する。なお、第７実施形態において、第６実施形態と同様の部材には同様の符号を付し、その説明を省略する。
（１）第７実施形態の構成
上記した第６実施形態では、移動部材１１１を導電性材料から形成したが、移動部材１１１は、絶縁性材料から形成することもできる。
【０２１５】
その場合、図１１に示すように、移動部材１１１の径方向中心には、移動部材１１１と中心軸線を共有する挿通穴１２１が貫通形成されている。
【０２１６】
また、支持ボス１１２（図９（ｂ）参照）には、支持ボス１１２の右面から右側へ突出するように、支持ボス１１２と中心軸線を共有する略円柱形状の第２接点部の一例としての被検知部１２２が設けられている。被検知部１２２の外径は、挿通穴１２１の内径と略同径（わずかに小径）である。また、被検知部１２２の左右方向長さは、移動部材１１１の左右方向長さよりも長い。
【０２１７】
そして、移動部材１１１は、被検知部１２２が挿通穴１２１内に相対回転可能に挿通され、電極側変位部１１７（図９（ａ）参照）の回転方向下流側端部が、支持ボス側変位部１１９（図９（ｂ）参照）の回転方向下流側端部に当接されるように、支持ボス１１２に回転可能に支持されている。
【０２１８】
このとき、移動部材１１１の右面は、被検知部１２２の右端部よりも右側に配置されている。また、移動部材１１１の歯部１１５は、その左端部において、アジテータギヤ４５の右端部に噛合されている（図１１（ａ）参照）。
（２）第７実施形態の動作
新品（未使用）の現像カートリッジ２５が装着されると、図１１（ａ）に示すように、移動部材１１１が検知電極８２に接触される。
【０２１９】
このとき、被検知部１２２と検知電極８２との間には、移動部材１１１が介在されており、カートリッジ側電極５１と検知電極８２とは絶縁されている。すなわち、移動部材１１１は、第１位置に配置されている。
【０２２０】
これにより、検知電極８２には、現像バイアスが印加されず、バイアス検知部８３は、現像バイアスを検知しない。
【０２２１】
すると、ＣＰＵ８４は、検知電極８２に現像バイアスが供給されていないと判断する。
【０２２２】
そして、ウォーミングアップ動作が開始されると、移動部材１１１は、右側面視時計回りに回転される。すると、電極側変位部１１７が支持ボス側変位部１１９の回転方向下流側に外れて、移動部材１１１は、付勢手段（図示せず）の付勢力により、検知電極８２から離間されるように左側へ退避される（図１１（ｂ）参照）。なお、このとき、電極側変位部１１７は、それまで当接されていた支持ボス側変位部１１９に対してもう一方の支持ボス側変位部１１９に対して、回転方向上流側から対向される。
【０２２３】
すると、被検知部１２２の右端部が、移動部材１１１の挿通穴１２１から、相対的に右側に突出されて、検知電極８２に接触される。すなわち、移動部材１１１は、第２位置に配置される。
【０２２４】
これにより、検知電極８２には、現像バイアスが印加され、バイアス検知部８３は、現像バイアスを検知する。
【０２２５】
すると、ＣＰＵ８４は、検知電極８２に現像バイアスが供給されていると判断する。
【０２２６】
そして、移動部材１１１がさらに右側面視時計回りに回転されると、電極側変位部１１７の左面１１８と、支持ボス１１２の支持ボス側変位部１１９の右面１２０とが摺動することにより、その回転に伴って、右側に徐々に移動される。
【０２２７】
すると、図１１（ａ）に示すように、移動部材１１１は、その右面が被検知部１２２の右端部よりも右側に配置されるように、右側へ進出する。
【０２２８】
すると、再び、被検知部１２２と検知電極８２との間に移動部材１１１が介在されて、カートリッジ側電極５１と検知電極８２とが絶縁される。すなわち、移動部材１１１は、第３位置に配置される。
【０２２９】
これにより、検知電極８２には、現像バイアスが印加されず、バイアス検知部８３は、現像バイアスを検知しない。
【０２３０】
すると、ＣＰＵ８４は、検知電極８２に現像バイアスが供給されていないと判断する。
【０２３１】
そして、さらに移動部材１１１が右側面視反時計回りに回転されると、移動部材１１１の欠け歯部１１６がアジテータギヤ４５に対向されて、移動部材１１１の歯部１１５とアジテータギヤ４５との噛合が解除され、移動部材１１１の回転駆動が停止され、ウォーミングアップ動作が終了する。
【０２３２】
そして、ＣＰＵ８４は、ウォーミングアップ動作が開始された後に、検知電極８２に現像バイアスが供給されていない、検知電極８２に現像バイアスが供給されている、検知電極８２に現像バイアスが供給されていない、と順次判断したときに、現像カートリッジ２５が新品（未使用）であると判断する。
（３）第７実施形態の作用効果
第７実施形態によれば、図１１（ａ）に示すように、簡易な構成で、第１位置および第３位置において、移動部材１１１を、検知電極８２に向かって右側に進出させて、カートリッジ側電極５１と検知電極８２との導通を、確実に解除することができる。
【０２３３】
また、第７実施形態においても、上記した第６実施形態と同様の作用効果を得ることができる。
【符号の説明】
【０２３４】
１      プリンタ
２      本体ケーシング
１６    現像ローラ
２５    現像カートリッジ
３２    駆動ユニット
５１    カートリッジ側電極
５３    移動部材
５６    電極支持ボス
５７    被給電部
６３    欠け歯ギヤ
６４    歯部
６５    欠け歯部
７１    被給電部
７２    被検知部
７３    絶縁部
８１    給電電極
８２    検知電極
８４    ＣＰＵ
９１    移動部材
９４    ラック部
９５    絶縁部
９７    歯部
９８    欠け歯部
１０１  移動部材
１０３  ラック部
１０４  導通部
１０６  歯部
１０７  欠け歯部
１１１  移動部材
１１４  欠け歯ギヤ
１１５  歯部
１１６  欠け歯部
１２２  被検知部
【図１】
0005862165.tif 000002
【図２】
0005862165.tif 000003
【図３】
0005862165.tif 000004
【図４】
0005862165.tif 000005
【図５】
0005862165.tif 000006
【図６】
0005862165.tif 000007
【図７】
0005862165.tif 000008
【図８】
0005862165.tif 000009
【図９】
0005862165.tif 000010
【図１０】
0005862165.tif 000011
【図１１】
0005862165.tif 000012